(57)【要約】【課題】被着対象物に貼付した配送伝票との間に形成されたポケット部に納品書を挟み込んで届けた際にも、受取人が簡単に納品書を取り出せるようにした配送伝票を提供する。【解決手段】伝票基材の荷物貼付部の裏面側に、粘着剤層が形成され、粘着剤層の裏面側に剥離紙が剥離可能に貼付され、剥離紙には、配送伝票を前記粘着剤層により被着対象物に貼付する際に、前記剥離紙の裏面側と前記被着対象物の表面上との間に、前記伝票基材を挿入することを目的とする収納領域と、前記粘着剤層から剥離するための剥離用領域と、を有し、前記収納領域と前記剥離用領域との境にコの字状の切り込みが上方側に開口を有する状態で形成され、更に、前記剥離紙には、前記コの字状の切り込みの開口辺の一部を含む領域を切り取るための切り込みが形成され、該切り込み内の領域部分が、前記伝票基材の一部分を捲り上げた際に該伝票基材と共に接着状態で分離可能に構成されている。【選択図】        図１
2010228283.tif 000002
【特許請求の範囲】
【請求項１】
切り取り部を境にして、宅配荷物に貼付して使用する荷物貼付部と、宅配荷物の受取人に提出するための納品書部と、が横方向に連接されている伝票基材を有する配送伝票であって、
前記伝票基材の荷物貼付部の裏面側に、粘着剤層が形成され、更に前記粘着剤層の裏面側に剥離紙が剥離可能に貼付され、
前記剥離紙には、前記配送伝票を前記粘着剤層により被着対象物に貼付する際に、前記剥離紙の裏面側と前記被着対象物の表面上との間に、前記伝票基材を挿入することを目的とする収納領域と、前記粘着剤層から剥離するための剥離用領域と、を有し、前記収納領域と前記剥離用領域との境にコの字状の切り込みが上方側に開口を有する状態で形成され、更に、前記剥離紙には、前記コの字状の切り込みの開口辺の一部を含む領域を切り取るための切り込みが形成され、該切り込み内の領域部分が、前記伝票基材の一部分を捲り上げた際に該伝票基材と共に接着状態で分離可能に構成されていることを特徴とする配送伝票。
【請求項２】
前記伝票基材の一部に、前記剥離紙と前記被着対象物との間に、前記伝票基材の納品書部を挿入させて封入させた際に、前記伝票基材の挿入部付近の表面と、前記被着対象物の表面とに渡って貼付させるための封緘用シールが設けられていることを特徴とする請求項１記載の配送伝票。
【発明の詳細な説明】
【技術分野】
【０００１】
本発明は、宅配荷物や配送商品を運送業者が配送する際に、それらの配送物に貼付して使用する配送伝票に関する。
【背景技術】
【０００２】
従来、宅配荷物や配送商品を運送業者が配送する際に、それらの配送物に配送伝票を貼付するなどして処理している。
それらの配送伝票としては、種々の構成のものが知られている。（例えば、特許文献１〜４、参照）
近年、インターネットなどの通信技術の発展も影響して、特にネット上で商品の購入を行い、それらの購入商品を、宅配便を使用して届ける通信販売の利用が増えていることからも、運送会社が取り扱う配送物も多くなっており、運送業者は、取り扱う多くの配送物を、いかに効率的に短時間で処理すべきかといった課題を抱えている。
【０００３】
例えば、配送物に貼付させて使用する配送伝票には、配送物のお届け先を記載して、配送物に貼付させた状態のまま、受取人に渡すことで、受取人が配送物を受け取り後にも、その配送物が誰から送ってきたものであるのかを確認可能とするための貼付票が含まれている。
また、配送伝票には、運送業者が配送物を受取人に配送した際に、その受取人が受け取ったことを証明するサインや捺印をもらうための受領印欄などが表示された配達票が含まれている。
更に、配送伝票には、その配送物が通信販売などの商品である場合には、それらの商品情報が記載された納品書が含まれている。
【０００４】
このように、配送物に貼付させて使用する配送伝票には、貼付票、配達票、納品書、などで構成されており、配送処理を行う際に、配送物に貼付させた後に必要に応じて各々の伝票を切り取るなどして処理している。
【０００５】
しかしながら、配送物の量が増えることは、配送物に貼付させて使用する配送伝票の消費量も増えることから、省資源化の促進という点で問題がある。
更に、配送伝票を構成する伝票用紙の枚数が多いと、配送伝票のコストもかかり経済上の問題もある。
【０００６】
また、近年、コストの削減や省資源化の促進という観点から、できるだけ少ない枚数で構成された配送伝票として、１枚の用紙だけを用いた１パート配送伝票も開発されている。
これらの１枚の用紙だけを用いた１パート配送伝票では、納品書を受取人に届ける際に、被着対象物と、その被着対象物に貼付した配送伝票との間に形成されたポケット部に挟み込むなどして届けることも考えられる。
しかしながら、この場合には、ポケット部に挟み込んだ納品書を取り出す際に、簡単に取り出せないことが多く不便であるという問題がある。
【先行技術文献】
【特許文献】
【０００７】
【特許文献１】特開２０００−３１８３５０号公報
【特許文献２】特開２００２−２１５３号公報
【特許文献３】特開２００４−２９１２９３号公報
【特許文献４】特開２００６−３９４２７号公報
【発明の概要】
【発明が解決しようとする課題】
【０００８】
そこで、本発明は、できるだけ少ない枚数で、配送処理に必要な貼付票、配達票、納品書、を有する構成からなり、比較的に安いコストで製造でき、更に納品書を貼付票や配達票と共に配送物に貼付させて配送させることができ、更に、１枚の用紙だけを用いた１パート配送伝票を用いた場合において、納品書を受取人に届ける際に、被着対象物と、その被着対象物に貼付した配送伝票との間に形成されたポケット部に納品書を挟み込んで届けた際にも、受取人が簡単に納品書を取り出せるようにした配送伝票を提供する。
【課題を解決するための手段】
【０００９】
本発明の配送伝票は、切り取り部を境にして、宅配荷物に貼付して使用する荷物貼付部と、宅配荷物の受取人に提出するための納品書部と、が横方向に連接されている伝票基材を有する配送伝票であって、前記伝票基材の荷物貼付部の裏面側に、粘着剤層が形成され、更に前記粘着剤層の裏面側に剥離紙が剥離可能に貼付され、前記剥離紙には、前記配送伝票を前記粘着剤層により被着対象物に貼付する際に、前記剥離紙の裏面側と前記被着対象物の表面上との間に、前記伝票基材を挿入することを目的とする収納領域と、前記粘着剤層から剥離するための剥離用領域と、を有し、前記収納領域と前記剥離用領域との境にコの字状の切り込みが上方側に開口を有する状態で形成され、更に、前記剥離紙には、前記コの字状の切り込みの開口辺の一部を含む領域を切り取るための切り込みが形成され、該切り込み内の領域部分が、前記伝票基材の一部分を捲り上げた際に該伝票基材と共に接着状態で分離可能に構成されていることを特徴とする。
【００１０】
更に、本発明の配送伝票は、前記伝票基材の一部に、前記剥離紙と前記被着対象物との間に、前記伝票基材の納品書部を挿入させて封入させた際に、前記伝票基材の挿入部付近の表面と、前記被着対象物の表面とに渡って貼付させるための封緘用シールが設けられていることを特徴とする。
【発明の効果】
【００１１】
したがって、本発明の配送伝票は、切り取り部を境にして、宅配荷物に貼付して使用する荷物貼付部と、宅配荷物の受取人に提出するための納品書部と、が横方向に連接されており、配送伝票を被着対象物に貼付した際に、配送伝票の剥離紙と被着対象物との間に、伝票基材の納品書部を挿入させて封入することができるので、少ない枚数で、配送処理に必要な貼付票、配達票、納品書、を有し、比較的に安いコストで製造でき、更に納品書を貼付票や配達票と共に配送物に貼付させて配送させることができ、更に、受取人が納品書部を取り出す際にも、伝票基材の一部分を捲り上げることで、納品書の一部分を表側に出して摘めるようにすることができるので、簡単に納品書を取り出せるという効果がある。
【図面の簡単な説明】
【００１２】
【図１】本発明の実施形態に係る配送伝票の表面側の平面図である。
【図２】図１のＡ−Ａ線断面図である。
【図３】図１のＢ−Ｂ線断面図である。
【図４】図１のＣ−Ｃ線断面図である。
【図５】本発明の実施形態に係る配送伝票の裏面側の平面図である。
【図６】本発明の実施形態に係る配送伝票を切り取り部から切り離した状態の平面図である。
【図７】本発明の実施形態に係る配送伝票において、剥離紙を剥離させた状態の平面図である。
【図８】本発明の実施形態に係る配送伝票を被着対象物に貼付させ、剥離紙と被着対象物との間に納品書部を挿入させ、封緘シールで密封させた状態を示す図である。
【図９】本発明の実施形態に係る配送伝票を被着対象物に貼付させ、剥離紙と被着対象物との間に納品書部を挿入させ、封緘シールで密封させた後に、配達票を剥離させた状態を示す平面図である。
【図１０】本発明の実施形態に係る配送伝票を被着対象物に貼付させ、剥離紙と被着対象物との間に納品書部を挿入させ、封緘シールで密封させ、配達票を剥離させた後に、封緘シールと、伝票基材の開口部に一部分を捲り上げ状態を示す平面図である。
【発明を実施するための形態】
【００１３】
以下、本発明の実施形態に係る配送伝票を図面に基づいて詳細に説明する。
図１乃至４に示すように、本発明の実施形態に係る配送伝票１は、矩形状を有する伝票基材２に、宅配荷物に貼付して使用する荷物貼付部３と、宅配荷物に荷物貼付部３を貼付する際に切り離す納品書部４と、が切り取り部である切り取りミシン５を境にして連接されている。
宅配荷物に荷物貼付部３を貼付する際に切り離す納品書部４には、ピッキングリスト４ａと納品書４ｂとが切り取りミシン６を境にして連接されている。
【００１４】
宅配荷物に貼付して使用する荷物貼付部３には、運送業者が配送物を受取人に配送した際に、その受取人が受け取ったことを証明するサインや捺印をもらうための受領印欄などが表示された配達票７と、配送物のお届け先を記載して、配送物に貼付させた状態のまま、受取人に渡すことで、受取人が配送物を受け取り後にも、その配送物が誰から送ってきたものであるのかを確認可能とするための貼付票８と、切り取りミシン５から切り取られた納品書部４を、荷物貼付部３と配送物との間に挿入して封入した後に、挿入部を封緘するための封緘用シール部９と、リブ部１０と、が上方から下方に対して並んでおり、更に、荷物貼付部３の上辺に沿った配達票７の上方に位置する部分には、開封用の剥離部１１が設けられている。
【００１５】
図１に示すように、荷物貼付部３に設けられた配達票７と、貼付票８と、封緘用シール部９と、リブ１０と、開封用の剥離部１１と、その他の部分とは、伝票基材２に縦横方向に形成された複数の切り込み１９により区分けされ、分離して剥離可能に構成されている。
伝票基材２の荷物貼付部３において、封緘用シール部９と、リブ部１０とを除いてその他の部分には、荷物貼付部３の裏面に剥離剤層１２が形成されており、その剥離剤層１２の下面には、接着剤層１３を介してタック基剤１４が接着されており、タック基剤１４の裏面側には、粘着剤層１５が設けられ、その粘着剤層１５の下側には剥離紙１６が剥離可能に貼付されている。
また、封緘用シール部９と、リブ部１０との裏面には、図３に示すように、剥離剤層１２を設けないで、接着剤層１３を介してタック基剤１４が接着されており、粘着剤層１５を利用して封緘用シール部９を貼付できるように構成されている。
また、伝票基材２の表面領域に対して、配達票７と貼付票８をどの程度の領域で設けるかは必要に応じて任意に設定すればよい。
【００１６】
また、伝票基材２の納品書部４の裏面には、接着剤層１７が設けれ、その接着剤層１７によりその下側に用紙１８が接着されている。
この伝票基材２の裏面に接着剤層１７で接着されている用紙１８は、伝票基材２の荷物貼付部３の厚みと同様の厚みを有する程度の厚みの用紙を用いることが好ましい。
これは、配送伝票１の全体の厚みを同一にする方が、取り扱いをしやすく、更に厚みが異なると、取り扱いの際に切れてしまうなどの問題が生じることが予防する効果がある。
また、図示してないが、接着剤層１３とタック基剤１４の間と、接着剤層１７と用紙１８との間に、接着剤の浸透を防止するために、それぞれ目止め層を設けることが好ましい。
【００１７】
図５には、配送伝票１の裏面側の平面図が示されているが、剥離紙１６には所定部分に切り込み２０が形成されている。
この剥離紙１６に形成された切り込み２０は、上方側に開口を有する状態でコの字状に形成されており、このコの字状に形成された切り込み２０を境にして、剥離紙１６の中央部分の領域の剥離紙１６ａが、配送伝票１を粘着剤層１５により被着対象物に貼付する際に、その剥離紙１６ａの裏面側と被着対象物の表面上との間に、納品書を挿入することを目的とする収納領域となっており、また、剥離紙１６の外側の部分の領域の剥離紙１６ｂが、その剥離紙１６ｂを捲り上げて粘着剤層１５により被着対象物に貼付するための剥離用領域となっている。
つまり、剥離紙１６のコの字状の切り込み２０の中央部分は、剥離しないで使用するために設けられている。
【００１８】
また、剥離紙１６ａには、コの字状の切り込み２０の開口辺の一部を含む領域を切り取るための切り込み２１が形成され、剥離紙１６ａを三角形状で他の部分から分離できるように設けられている。
タック基剤１４にも、剥離紙１６ａに切り込み２１が形成されている部分と重なる部分に切り込み２３が形成されている。
この切り込み２１を設けることで、その切り込み２１内の領域部分が、伝票基材２の開封用の剥離部１１を捲り上げた際に、切り込み２１と上辺とで囲まれる三角形状の領域部分２２と接着状態にある伝票基材２と共に分離できるように構成されており、剥離紙１６ａの上辺の一部が他の部分から分離されることで、剥離紙１６ａの裏面側と被着対象物の表面上との間に収納させた納品書４ｂの一部を外側から摘める状態とすることができるようにしてある。
【００１９】
また、伝票基材２の裏面に接着されている用紙１８にも、伝票基材２に形成された切り取りミシン６が同様に形成されており、伝票基材２を切り取る際に用紙１８も一緒に切り取れるようになっている。
更に、図５に示すように、用紙１７には、上下方向に対して略中央の位置に、横方向に形成された切り込み２４が形成されている。
この切り込み２４は、用紙１８の部分だけに形成されており、伝票基材２の部分には切り込みが形成されていない。
つまり、この切り込み２４が、用紙１８の部分だけに形成されていることで、伝票基材２を切り取りミシン６から納品書４ｂを切り取った際に、切り取り後に納品書４ｂを切り込み２４から簡単に２つ折りできるようになっている。
これは、納品書４ｂを切り込み２４から２つ折りすることで、納品書４ｂを小さなサイズにして、配送伝票１を被着対象物である配送物に貼付した際に、剥離紙１６と被着対象物である配送物との間の隙間に、２つ折りさせた納品書４ｂを挿入しやすくしてある。
【００２０】
次に、本発明の実施形態に係る配送伝票１の使用方法を、図６〜図１０に基づいて説明する。
まず、図６に示すように、配送伝票１を切り取りミシン５から切り離して、荷物貼付部３と納品書部４とを分離させ、更に、納品書部４を切り取りミシン６から切り離して、ピッキングリスト４ａと納品書４ｂとに分離させる。
そして、納品書４ｂは、用紙１７の横方向に形成された切り込み２４から、２つに折り畳んでおく。
【００２１】
次に、配送伝票１の裏面側に剥離可能に貼付されている剥離紙１６のうち、コの字状に形成された切り込み２０の外側部分にある剥離紙１６ｂを剥離させる。
この際に、剥離紙１６ｂの下側端部には、封緘用シール部９と、リブ部１０とが剥離紙１６ｂに貼付された状態で剥離される。
そして、図８に示すように、剥離紙１６ｂを剥離させた配送伝票１を、被着対象物である配送物に貼付させた後に、剥離紙１６と被着対象物である配送物２５との間の隙間に対して、上方の開口部分から２つ折りさせた納品書４ｂを挿入させて、その隙間に納品書４ｂを収納させる。
更に、剥離紙１６ｂの下側端部に剥離可能に貼付されている封緘用シール部９を剥離させて、剥離紙１６と被着対象物である配送物２５との間の隙間の開口部分を塞ぐ状態となるように封緘用シール部９を貼り付ける。
これにより、配送物２５の配送時にも、納品書４ｂが剥離紙１６と配送物２５との間の隙間から落ちることを防止できる。
【００２２】
その後、配送物２５が配送処理されて受取人に届けられるが、受取人に配送物２５を届けた際に、図９に示すように、配達票７を剥離させて、受取人から配達票７の所定部分に受領印などを押してもらった後に、配送人が配達証明として配達票７を持ち帰る。
そして、配送物２５の受取人は、図１０に示すように、開封用の剥離部１１を捲り上げると共に、封緘用シール部９も共に剥離させる。
この剥離の際に、開封用の剥離部１１の裏面側には、切り込み２１と上辺とで囲まれる三角形状の領域部分２２と接着状態にある伝票基材２が接着状態となって共に分離されることになり、これにより、納品書４ｂの一部が見える状態となる。
したがって、受取人は、外側から見える状態で表れた納品書４ｂの一部を摘んで、簡単に納品書４ｂを上方に引き出すことができる。
【００２３】
上記のように、本発明の配送伝票１は、配送伝票を被着対象物に貼付した際に、配送伝票の剥離紙と被着対象物との間に、伝票基材の納品書部を挿入させて封入することができると共に、受取人が簡単に納品書を取り出せることができるように構成されている。
【符号の説明】
【００２４】
１  配送伝票
２  伝票基材
３  荷物貼付部
４  納品書部
４ａ  ピッキングリスト
４ｂ  納品書
５，６  切り取りミシン
７  配達票
８  貼付票
９  封緘用シール部
１０  リブ
１１  開封用の剥離部
１２  剥離剤層
１３，１７  接着剤層
１４  タック基剤
１５  粘着剤層
１６  剥離紙
１６ａ  中央部分の領域の剥離紙
１６ｂ  外側の部分の領域の剥離紙
１８  用紙
２０，２１，２３，２４  切り込み
２２  三角形状の領域部分
２５  配送物
【図１】
2010228283.tif 000003
【図２】
2010228283.tif 000004
【図３】
2010228283.tif 000005
【図４】
2010228283.tif 000006
【図５】
2010228283.tif 000007
【図６】
2010228283.tif 000008
【図７】
2010228283.tif 000009
【図８】
2010228283.tif 000010
【図９】
2010228283.tif 000011
【図１０】
2010228283.tif 000012